(57)【要約】      （修正有）【課題】タッチスクリーンを傷つけない、スタイラスとして利用可能なボールペン様の筆記用具の提供。【解決手段】多目的筆記装置１は、圧嵌又はスナップ嵌合可能なキャップ３、筆記先端部４および内部インク容器を含む装置本体２を備える。キャップ３は、該キャップの開口部６とは反対側の端部に、タッチスクリーンを傷付けずに接触するよう適合された触覚先端部７を備える。【選択図】図２
2016172404.tif 000002
【特許請求の範囲】
【請求項１】
圧嵌又はスナップ嵌合可能なキャップ（３）、筆記先端部（４）及び内部インク容器を含む装置本体（２）、を備えることを特徴とする、多目的筆記装置。  
【請求項２】
前記筆記装置は、消去可能なインク式であることを特徴とする、請求項１に記載の多目的筆記装置。
【請求項３】
前記本体（２）は、筆記先端部（４）とは反対側の端部に、該筆記先端部（４）によって付着されたインクを除去するための消去要素（５）を備えることを特徴とする、請求項１に記載の多目的筆記装置。
【請求項４】
前記キャップ（３）は、該キャップの開口部（６）とは反対側の端部に、タッチスクリーン等の装置に接して使用されるよう適合された触覚又は接触先端部（７）を備えることを特徴とする、請求項１に記載の多目的筆記装置。
【請求項５】
前記触覚先端部（７）は、凸形状を有し、それにより前記先端部によってタッチされるタッチスクリーンの表面を傷付けなくすることを特徴とする、請求項１に記載の多目的筆記装置。
【請求項６】
前記装置は、前記本体に前記キャップを付けた状態で、タッチスクリーンに直接接触して使用されることができ、それにより数字（ｄｉｇｉｔ）又は符号（ｓｉｇｎ）の作成を容易にして、デジタル筆記を実行できることを特徴とする、請求項１に記載の多目的筆記装置。
【請求項７】
前記装置は、前記キャップ（３）を外すと、消去可能なボールペンとして使用できることを特徴とする、請求項１に記載の多目的筆記装置。
【請求項８】
前記先端部（７）は、プラスチック材料又は軟質ゴム材料で作製され、前記先端部によって接触されるスクリーンの表面を傷付けないようにすることを特徴とする、請求項１に記載の多目的筆記装置。
【発明の詳細な説明】
【技術分野】
【０００１】
本発明は、多目的筆記装置に関する。
【背景技術】
【０００２】
周知のように、ユーザが、自分の指又は他の特別に設計された要素で、図形インタフェースと相互操作できる、所謂タッチスクリーンを含む電子装置が、現在では用いられることが多くなっている。
【０００３】
そうした電子装置は、所謂スマートフォンを含むが、スマートフォンは、比較的小さなタッチスクリーンを有する。
【０００４】
そうした小さなタッチスクリーンを操作するには、筆記ペン等のスタイラス要素又は他の物が使用されることが多く、そうした使用が、必須となることもある。
【０００５】
しかしながら、スタイラスは入手し難い可能性があり、一方で、一般的なボールペン又は他の従来の筆記具では、タッチスクリーンを傷付けるという欠点があるため、その使用は、操作的に安全なものではない。
【発明の概要】
【発明が解決しようとする課題】
【０００６】
本発明の目的は、タッチスクリーンを傷付けずに、タッチスクリーンに使用できる、ボールペン等の筆記装置を提供することである。
【０００７】
本発明の更なる目的は、プラスチック又は軟質ゴム材料等の容易に商業化が可能な要素及び材料を使用して作製されることができ、尚且つ全く経済的観点から極めて競争力のあるそうした装置を提供することである。
【０００８】
本発明の更に別の目的は、極めて信頼性が高く、操作時に安全な多目的筆記装置を提供することである。
【課題を解決するための手段】
【０００９】
本発明の一態様によれば、上記の目標及び目的の他、以下でより明白になる別の目的も、圧嵌又はスナップ嵌合可能なキャップを含む装置本体を備え、該装置本体は、筆記先端部及び内部インク容器を備えることを特徴とする、多目的筆記装置によって達成される。  
【００１０】
上記筆記装置は、消去可能なインク式である。
【００１１】
キャップは、該キャップの入口部分又は開口部とは反対側の端部に、タッチスクリーン等の装置に接して使用されるよう適合された触覚先端部を備える。
【００１２】
本発明に関する更なる特徴及び効果については、添付図で指示はするが限定的ではない一例として記載された、本発明の好適ではあるが、排他的でない実施形態に関する次の開示から、以下でより明白になるであろう。
【図面の簡単な説明】
【００１３】
【図１】使用中又は休止中のタッチスクリーン用スタイラス等の、キャップを閉めた状態の筆記装置を示している。
【図２】キャップを外して、従来のボールペンとして使用される、図１の装置の更なる図である。
【図３】使用中又は休止中のタッチスクリーン用スタイラス等の、キャップを閉めた状態の、別の筆記装置を示している。
【図４】従来のボールペンとして使用するために、キャップを取外した状態の、図３の装置の更なる図である。
【発明を実施するための形態】
【００１４】
上記図面の各参照番号に関して、本発明による多目的筆記装置は、参照番号１で全体的に示され、圧嵌又はスナップ嵌合可能なキャップ３を含む本体２を備える。
【００１５】
上記本体２は、筆記先端部４及び内部インク容器又はタンク（図示せず）を備える。
【００１６】
有利には、筆記装置は、消去可能なインク式にする。
【００１７】
上記本体２は、筆記先端部４とは反対側の端部に、消去要素５を備え、該消去要素は、筆記先端部によって供給されたインクを除去するために使用される。  
【００１８】
本発明によると、上記キャップ３は、該キャップの開口部６とは反対側の端部に、触覚先端部（ｔａｃｔｉｌｅ  ｔｉｐ）７を備え、該先端部は、タッチスクリーン等の装置に接触して使用されることができる。
【００１９】
上記触覚先端部７は、凸形状を有し、該先端部７によって接触又はタッチされるタッチスクリーンの表面を傷付けないような材料で作製される。
【００２０】
本発明による筆記装置は、本体にキャップを付けた状態で、タッチスクリーンに直接接触させて使用され、デジタル式筆記を、タッチスクリーンが許可した場合に、提供する際、数字（ｄｉｇｉｔ）又は記号（ｓｙｍｂｏｌ）及び符号（ｓｉｇｎ）の作成を容易にできる。
【００２１】
キャップ３を外すと、本発明による多目的装置は、従来の消去可能なボールペンとしても使用されることができる。
【００２２】
本発明は、意図する目標及び目的を十分に達成することが分かった。
【００２３】
実際に、本発明は、消去可能なボールペンとして使用されることもできる、極めて効率的な方法でタッチスクリーンを傷付けずにタッチスクリーンに接して操作するための多目的の筆記装置を提供した。
【００２４】
従って、タッチスクリーンで、手の指を使用する代りに、本発明の装置を使用することで、タッチスクリーンを汚したり、傷付けたりせずに、数字や符号の作成を容易にできる。
【００２５】
本発明を実施する際に、使用される材料や、付随する大きさ及び形状は、必要に応じて如何なるものとしてもよい。
【符号の説明】
【００２６】
１      筆記装置
２      本体  
３      キャップ  
４      筆記先端部  
５      消去要素  
６      開口部
７      触覚先端部
【図１】
2016172404.tif 000003
【図２】
2016172404.tif 000004
【図３】
2016172404.tif 000005
【図４】
2016172404.tif 000006
【外国語明細書】
2016172404000001.pdf